(57)【特許請求の範囲】
【請求項１】
装薬（３）と起爆装置とを有する火薬式ガス発生器と、間に液体の有効成分（９）が収容されている上流側プランジャーストッパ（７）と下流側プランジャーストッパとによって閉鎖されたチューブ（６）によって形成された貯蔵器（５）とを含む数個の要素を具備し、前記貯蔵器（５）が前記チューブ（６）の中の下流側プランジャーストッパ（８）の移動によって変えることのできる容積を有することができ、さらに射出器（１０）を具備している針なし注射器（１）において、チューブ（６）と２つのプランジャーストッパ（７，８）とを具備する貯蔵器（５）が、前記注射器（１）の自律的構成要素であることを特徴とする針なし注射器。
【請求項２】
下流側プランジャーストッパ（８）が最初チューブ（６）の内部に全体が位置していることを特徴とする請求項１に記載の針なし注射器。
【請求項３】
装薬（３）が第１の粉末と第２の粉末との混合物によって形成され、第１の粉末及び第２の粉末のそれぞれの動的ビバシチーを前記各々の粉末の最大燃焼圧力の１／２の燃焼圧力のときの値としたとき、第１の粉末が第２の粉末の動的ビバシチーより大きい動的ビバシチーを有していることを特徴とする請求項１に記載の針なし注射器。
【請求項４】
第１の粉末が８（MPa.ｓ）-1より大きい動的ビバシチーを有し、第２の粉末が１６（MPa.ｓ）-1より小さい動的ビバシチーを有していることを特徴とする請求項３に記載の針なし注射器。
【請求項５】
２つのプランジャーストッパ（７，８）の間の貯蔵器（５）の容積を０．１mlから２mlへと変えることができることを特徴とする請求項１に記載の針なし注射器。
【請求項６】
上流側プランジャーストッパ（７）がチューブ（６）の２つの端部の一方で固定するように配置されていることを特徴とする請求項１に記載の針なし注射器。
【請求項７】
少なくとも一方のプランジャー（４）がガス発生器（２）と上流側プランジャーストッパ（７）との間に位置していることを特徴とする請求項６に記載の針なし注射器。
【請求項８】
上流側プランジャーストッパ（７）がプランジャー（４）に接触していることを特徴とする請求項７に記載の針なし注射器。
【請求項９】
チューブ（６）がガラスで形成されまた０．５mmと４mmの間の厚さを有していることを特徴とする請求項１に記載の針なし注射器。
【請求項１０】
２つのプランジャーストッパ（７，８）が変形可能な材料で形成されていることを特徴とする請求項１に記載の針なし注射器。
【請求項１１】
射出器（１０）が、下流側プランジャーストッパ（８）のための受容部として作用する中空要素（１５）の外側に位置する少なくとも２つの周縁射出導管（２０）を具備し、前記中空要素（１５）の深さが、前記下流側プランジャーストッパ（８）が前記中空要素（１５）の底に接触するようになった時に周縁導管（２０）の入口に間隙を形成することを特徴とする請求項１に記載の針なし注射器。
【請求項１２】
チューブ（６）の長さが一定であることを特徴とする請求項１又は９に記載の針なし注射器。
【請求項１３】
プランジャー（４）がチューブ（６）の内径と同じ内径の中空体（１３）の中に位置しかつ連続して配置され、前記中空体（１３）と前記チューブ（６）とが外被（１４）の中に保持されていることを特徴とする請求項７に記載の針なし注射器。
【請求項１４】
自由空間（１９）が下流側プランジャーストッパ（８）と中空要素（１５）の底との間に存在することを特徴とする請求項１１に記載の針なし注射器。
【発明の詳細な説明】
【０００１】
本発明の技術分野は、ガス発生器により作動し医学又は獣医学における治療用の液体有効成分の皮膚内、皮下、及び筋肉内の注射に用いられる予め充填した使い捨ての針なし注射器の分野である。
【０００２】
本発明の注射器に関し、液体の有効成分は幾分か粘性の液体又は液体もしくはゲルの混合物からなっている。有効成分は注射するために適当な溶剤に溶解した固体とすることができる。これはまた適当な液体の中に幾分か濃縮された懸濁物の粉末固体によって表わすこともできる。有効成分の粒子の大きさは閉塞をなくするために導管の直径に適合するようにしなければならない。
【０００３】
本発明の針なし注射器はその貯蔵部を単に変更することにより種々の量の液体有効成分を射出することができる特別な特徴を有し、他の特徴の全ては完全に保持されている。
【０００４】
このようにして、その幾何学形状の変更を要しないで液体有効成分の正しい投与量が与えられ又はガス発生器を射出される液体有効成分の投与量に適合させる、容易にかつ低コストですぐ手に入る針なし注射器を生み出すことができる。
【０００５】
様々な量の液体有効成分を射出するよう設計された針なし注射器はすでに存在しまた多数の患者の主題となっている。
【０００６】
例えば米国特許第４，９１３，６９９号が挙げられ、この特許は種々の量の液体有効成分を収容するようになっている針なし注射器を記載している。注射器を出る液体の圧力は上流側に位置する推進プランジャーと終端の射出通路に適合した小さな断面のプランジャーストッパとの間の断面の差によって調整される。特許ＷＯ００／１０６３０号もまた針なし注射器に関し、この注射器は特に、推進プランジャーの行程を減少することにより種々の量の液体有効成分を放出する特徴を有している。詳細には、標準寸法の有効成分の貯蔵器が組織的にその容量の最大値に充填され、またその行程が圧力解放通気口の構造によって減少されるプランジャーが貯蔵器の中に収容された有効成分の一部だけを確実に射出する。射出後は、プランジャーの行程が減少された場合にある量の液体有効成分が貯蔵器の底に残る。
【０００７】
最後に、特許９５／０３８４４号が挙げられ、この特許は針なし注射器に関し、推進プランジャーの行程を減少することにより種々の量の有効成分を射出することができる特徴を有している。この場合、ボタンのねじ込みがプランジャーをばねの圧縮と同時に移動させる。プランジャーが必要位置にある時、注射器の発動がそのためプランジャーを自由にし、解放されたばねによって押出される。
【０００８】
本発明の針なし注射器は貯蔵器の利用可能な容量の簡単な再調節によって種々の量の液体有効成分の射出ができるようにする。これは、射出される量がどのような量であっても、貯蔵器が注射器の中で一定の空間を占めそしてこれがガス発生器又は推進プランジャーの構造を各場合に変更せずまた注射器の異なった区画室の大きさを変えずに、変更されるのはその内部容積だけであるからである。本発明の針なし注射器はしたがって注射される正確な量の有効成分を収容しまた変更を要せず注射後貯蔵器の底に有効成分を残すことなくその効力を十分に保持する。
【０００９】
本発明の主題は、ガス発生器と、液体有効成分が間に収容される上流側のプランジャーストッパと下流側のストッパとによって閉鎖されるチューブによって形成された貯蔵器と、射出器とで構成された針なし注射器において、前記注射器が、チューブの下流側ストッパの移動により２つのプランジャーストッパの間に形成された容積が注射される有効成分の量に適合されることにより、変動可能な量の有効成分を注射することができることを特徴としている。
【００１０】
これは、本発明の針なし注射器がその貯蔵器の寸法上の変更にもかかわらず射出容量を保持するように寸法がきめられるからである。特許明細書の以後の全体にわたって、２つのプランジャーストッパによって形成された組立て体と有効な液体成分は“液体の柱”と称される。
【００１１】
有利には下流側のプランジャーストッパは最初チューブの内部に突出することなく全体が位置している。
【００１２】
一般に、本発明の針なし注射器は液体の有効成分を、不十分な速度のためにこの有効成分を皮膚上に消失することなく、皮膚を通して完全に射出するようになっている。ガス発生器はしたがって第１の段階で液体有効成分に非常に高い速度を与え有効成分に皮膚を突き抜ける瞬間的な動力を保証し、また第２の段階で殆んど一定の圧力のため液体の十分な速度を保持し、それにより皮膚に孔があけられると注射の時間にわたって液体が皮膚を通過するのを保証することができる。
【００１３】
ガス発生器によるガスの解放は前記ガス発生器と上流側のプランジャーストッパとの間に前記プランジャーストッパの移動による加圧された空間を形成するようになる。その容積が注射の終了まで増加するこの加圧された空間はガス膨張室に対応している。前記膨張室は好ましくは注射器が作動していない時には存在しない。しかし、本発明の針なし注射器はガス発生器と推進プランジャーストッパとの間にすでに存在する自由空間を設けるようにすることができる。
【００１４】
典型的には、ガス発生器と上流側のプランジャーストッパとの間に位置する空間の中のガス発生器によって得られた時間中の圧力の変動は、第１の段階で、瞬間の非常に強い圧力最大値を出現し、次に第２段階で射出の閾値圧力よりも常に大きい殆んど一定の圧力をつくり出す。“ガス発生器”なる用語は、特定の区別なしに、使用者によって作動された時に注射器の中にガスを発生することのできるエネルギー源を表わす総括的な用語である。
【００１５】
ガス発生器は好ましくは装薬と起爆装置とからなる火薬式ガス発生器である。
【００１６】
起爆装置は有利には信管と雷管（導火線）とを含んでいる。また圧電結晶体又はその移動が発火区域を発生させる２つの摩擦表面によって形成されたでこぼこの区域に基づく起爆装置を用いることができる。加圧されたガスの貯蔵に比べて、火薬は少しの空間しか占めない利点を有し、注射器が貯蔵段階に含まれる高い初期圧力を恒久的に受けることがなくなる。火薬は好ましくは第１の粉末と第２の粉末との混合物によって形成され、第１の粉末は第２の粉末よりも大きい動的ビバシチー（活性）を有している。第１の粉末は有利には８（MPa.ｓ）-1より大きい動的ビバシチーを有し、第２の粉末は有利には１６（MPa.ｓ）-1より小さい動的ビバシチーを有している。
【００１７】
液体有効成分の完全な射出を可能にする圧力線図を得る１つの方法は実際に、速く燃焼する粉末と遅く燃焼する粉末との混合物からなる火薬を用いることである。粉末はこれが高い動的ビバシチーを有する場合に“速い燃焼”として記載され、低い動的ビバシチーを有する場合に“遅い燃焼”として記載される。したがって、速い燃焼の粉末は非常に強い圧力の最大値を瞬間的に発生することができるようにし、これに対し遅い燃焼の粉末は射出の休止の間実質的に一定で孔があけられたとき液体の有効成分が皮膚を通過することができる十分に高い圧力を保証する。この型の粉末混合物は本発明の針なし注射器に完全に適合している。上記の与えられた動的ビバシチー値は式
【数１】
0003711107.tif 000002
によって決定される。
ここで、Ｐは状態の進行ｚに対応する瞬間圧力、
Ｐｍａｘは到達した最大圧力、
ｄＰ／ｄｔは時間に関する圧力の導関数
ｚは、以下の式によって表される。
【数２】
0003711107.tif 000003
【００１８】
これらの値は半−燃焼のときの、つまりｚ＝０．５のときの値に対応し、また以下の条件での流体圧力計室における値に対応している。
−  室容積      ：２７．８cm3
−  装填密度    ：０．０３６ｇ／cm3
−  粉末質量    ：１ｇ
【００１９】
遅い燃焼と称される粉末は何時も速い燃焼の粉末よりは小さい動的ビバシチーを有している。この２つの粉末は有利にはゆるく混合され、すなわち２つの粉末は特別の順序がなく不ぞろいに混合された粒子の状態にあり、得られた粉末はこれが位置する容器の形状に合致し、また同時にこれら粒子の間に隙間を形成している。しかしこの２つの粉末の少なくとも一方が指示された又は特定のやり方で、例えばより系の束の形式で、又は考えられる大きさの単一の粒子の形式で、あるいは密集した形式で、存在することが考えられる。
【００２０】
２つのプランジャーストッパの間の貯蔵部の容積は好ましくは射出の要求に依存して０．１mlから２mlに変えることができる。
【００２１】
上流側のプランジャーストッパは有利にはチューブの２つの端部の一方に、固定されるように置かれる。少なくとも１つのプランジャーが好ましくはガス発生器と上流側のプランジャーストッパとの間に位置している。上流側のプランジャーストッパは好ましくはプランジャーと接触している。
【００２２】
チューブは有利にはガラスで作られまた０．５mmと４mmの間そして好ましくは１．５mmと２．５mmとの間の厚さを有している。このガラスチューブは裂け目を生じたり破裂したりするような回復できない損傷を受けることなく非常に高い内部圧力に耐えるよう十分に厚くなければならない。
【００２３】
２つのプランジャーストッパは有利には変形可能な材料で作られる。これらストッパは特に長期間にわたって液体有効成分に適合するエラストマーの成形によって得られる。これらのエラストマーは例えばクロロブチル又はブロモブチルとすることができる。射出装置は好ましくは、下流側プランジャーストッパの受容部として作用する中空要素の外側に位置する少なくとも２つの周面上の射出導管からなり、前記導管の深さは前記プランジャーストッパが前記中空部分の底に接触するようになった時に周面上の導管の入口に間隙が形成できるようにする。
【００２４】
作用の点で、液の柱は下流側のプランジャーストッパが中空要素を占有するまで動く。前記要素の中で阻止されると、プランジャーストッパは僅かに変形しそれにより横方向の射出導管の入口を開放し有効成分を放出できるようにする。チューブの長さは好ましくは一定である。詳細には、本発明の針なし注射器はチューブの長さにより決められた標準サイズの貯蔵器を受け入れるようになっており、この２つのプランジャーストッパの間に位置するその内部容積の変更はその外側寸法には依らないものとなっている。プランジャーは有利にはチューブの内径と同じ内径の中空体の中に位置しその連続部分にあり、前記中空体と前記チューブは外囲容器の中に保持されている。
【００２５】
外囲容器は好ましくはプラスチックからなり僅かな圧力をチューブに加えそれにより剪断に対する抵抗力を増すようにする。このようにして、チューブはより大きな内部圧力に耐えることができる。本発明の他の実施態様によれば、チューブと２つのプランジャーストッパとからなる貯蔵器は前記注射器の自律的な要素を構成する。言いかえれば、貯蔵器は何時でも注射器に導入でき又は引出すことができる。同様に、貯蔵器は正確な投与量の有効成分が別々に充填でき、そして注射器の中に導入できる。
【００２６】
自由空間が有利には下流側プランジャーストッパと中空要素の底との間に存在する。したがって射出される有効成分の量に関係なくまたチューブの中の下流側プランジャーストッパの位置に関係なく、液の柱は射出自体が始まる前に実質的な移動をしなければならなくなる。射出される製品の量が小さいほど下流側プランジャーストッパの上流側プランジャーストッパに対する位置は近くなり、また射出前の液体の柱の行程は長くなる。
【００２７】
下流側プランジャーストッパと受容部の底との間の自由空間の存在は本発明の針なし注射器に特に適している。膨張室における作動中の圧力の広がりが液体有効成分の損失なしの完全な射出に適合していることを考えると、射出される小さな投与量の有効成分にとって、下流側プランジャーストッパと受容部の底との間の自由空間が十分に大きくそれにより液体の柱が射出を開始する前に十分に加速されるようにすることが必要である。
【００２８】
この加速は、液体の柱の移動によって導入されるその容積の著しい増加に起因する膨張室の圧力の減少を補償するのに必要となる。言い換えれば、射出される小量の有効成分にとって、ガス発生器によって発生されたガスは液体の柱をその全行程にわたって増加した速度で動かすようになる。したがって、液柱の移動が大きいほど、受容部の底への衝撃のエネルギーは、膨張室における大きな圧力降下にかかわらず、増加した速度のため大きくなる。
【００２９】
一例として、０．５mlの貯蔵器に対する液体の圧力の上昇は０．２mlの貯蔵器よりも早い段階で起きる。これは、０．５mlの量に対して、移動行程は０．２mlの量に対するよりも小さいことによって、説明される。０．２mlと０．５mlに対応するこの２つの構造に対する最高圧力値の等しい強さは、液体の柱の衝撃の運動エネルギーが、火薬の下流側に形成された空間の容積の増加に起因するガス圧力の降下のために、液体の本来の推力の減少を補償するという事実によって証明される。
【００３０】
本発明の針なし注射器は種々の量の液体有効成分をその貯蔵器の簡単な適合により、その幾何学形状もしくは大きさをさらにガス発生器をも変更する必要がなくまた他の構成要素を付加する必要なしに、射出することができるようにする。したがって本発明の針なし注射器は大きさを変える必要がなくまたコスト増大の原因となる補足的な機械加工を必要としない。
【００３１】
さらに、本発明の注射器は、貯蔵器が射出される液体有効成分の量に関係なくその外側寸法を保持しているため、同じ大きさを維持している。
【００３２】
最後に、貯蔵器が簡単で精密な作用を保持するようにすることにより、射出される正確な量の有効成分を担持する手で操作する針なし注射器を得ることができる。
【００３３】
本発明の好ましい実施態様の詳細な記載は図１から４を参照して以下に記載される。
【００３４】
図１を参照すると、本発明の針なし注射器は起爆装置と装薬３とからなる火薬式ガス発生器２と、推進プランジャー４と、液体の有効成分９が間に収容された上流側のプランジャーストッパ７と下流側のプランジャーストッパ８とにより閉鎖されたガラスチューブ６によって形成された貯蔵器５と、射出器１０とを具備している。
【００３５】
起爆装置は信管装置（図１には図示されていない）と雷管１２とを含んでいる。押しボタンにより発動される信号装置１１はばねと打撃ピンが設けられた錘とを具備している。錘りは該錘と押しボタンとの間に押込まれた少なくとも１つのボールによって阻止され、また前記押しボタンは円形の内溝を有している。
【００３６】
装薬３は迅速燃焼粉末、例えばニトロセルローズを母材とする多孔粉末と、七角管状粉末のニトロセルローズ母材粉末のような遅速燃焼粉末との混合物から構成されている。装薬３はそれ自体に貯蔵器５のチューブ６が連続する実質的に円筒形の中空体１３に通じており、前記チューブ６は中空体１３と同じ内径を有している。チューブ６は中空体１３に連続しまた中空体に接触しており、これら２つの構成要素６と１３はまた同じ外径を有している。
【００３７】
これらはしたがって完全に相互に整列されまた組立て後に中空体１３とチューブ６とに僅かな圧縮を加えるプラスチック材料の外被１４によってこの形状に保持される。外被１４は中空体１３に沿い約半分から始まりガラスチューブ６を越えてチューブ６の内部通路に続く付加的な内側通路を形成する中空円筒状の前側部分に連続しており、前記付加的な通路はチューブ６の内側通路の断面より大きくまた前記チューブ６の半分の厚さを表わす仮想円によって区画形成された断面にほぼ等しい断面を有している。
【００３８】
この付加的な通路は平面の円形表面によって２つの端部の一方が閉鎖された中空円筒体からなる中空要素１５を受け入れることができ、該要素１５は中空円筒状のストッパと同様のものである。外側横方向の表面に、前記中空体は相互に平行で均一に間隔がおかれた一連の６つの長手方向の溝を有している。
【００３９】
構成要素１５は付加的通路に係合され、それにより
−前記構成要素１５の平面の円形表面が外被１４の前側部分の自由端と同一平面となり、
−前記構成要素１５の中空円筒体の外側横壁が付加的通路の内側横壁と接触しそれにより長手方向の溝が周面の射出導管２０を形成するようにし、
−通路１６がチューブ６の自由端と前記構成要素１５の中空円筒体の自由端との間に残るようにしている。
【００４０】
装薬３が通じている中空円筒体１３は推進プランジャー４によって全部が占有されている。上流側プランジャーストッパ７はガラスチューブ６の２つの端部の一方と同一平面上にありまた前記推進プランジャー４は装薬３と上流側プランジャーストッパ７の両方に接触している。
【００４１】
下流側プランジャーストッパ８はチューブ６の他端から後退して位置しまた液体有効成分９は２つのプランジャーストッパ７，８によって区画された前記チューブ６の空間の中に収容されている。この２つのプランジャーストッパ７，８はエラストマー母材の変形可能な材料で作られている。推進プランジャー４は非変形材料で作られている。下流側プランジャーストッパ８の下流側に、下流側プランジャーストッパ８の下流側に位置するチューブ６の部分の内側通路と中空プラグと同様な構成要素１５の内部容積とによって形成された自由空間１９が設けられ、該自由空間１９は６つの周縁射出導管２０を介して注射器１の外部と連通している。
【００４２】
射出器１０は外被１４の前側部分と該前側部分に係合された中空要素１５とからなり、射出器はしたがって下流側プランジャーストッパ８の下流側に位置する自由空間１９と６個の周縁射出導管２０とを含んでいる。
【００４３】
本発明のこの好ましい実施態様の作動の方法は次のとおりである。
【００４４】
使用者は注射器１をその端部が処置される患者の皮膚に当接するように位置決めする。押しボタンに加えられた圧力により押しボタンは溝が錘を阻止するボールと同じ高さとなるまで注射器１に沿って摺動される。ボールは溝から離れ、解放するばねの作用のもとに雷管１２に向って推進される錘を解放し、打撃ピンが前進する。
【００４５】
こうして点火される雷管が装薬３を発火させる。
【００４６】
迅速燃焼粉末の燃焼の効果により、推進プランジャー４は中空体１３とチューブ６との内部通路の中で急激に移動され、液体の柱の移動が生じる。ガス膨張室１７がそのため装薬３と推進プランジャー４との間に形成される。
【００４７】
図２は使用中の注射器１を示し、さらに正確には液体の柱が中空プラグと同様な中空要素１５の内部容積によって形成された受容部の底に当接した瞬間の注射器１を示す。図１と図２の比較はその衝突の前の増加した速度で前記液体の柱だけ走行した距離を示す。受容部の全部を占有する下流側プランジャーストッパ８が僅かに押しつぶされ、それにより射出器１０の通路２０への入口として作用する通路１６を解放し、一方上流側プランジャーストッパ７は阻止された下流側プランジャーストッパ８に接近するよう動く。液体有効成分９は、実質的に減少しているが皮膚が突通された後の液体の拡散の閾値圧力よりは大きい圧力で、２つのプランジャーストッパ７，８が図３に示されるように相互に接触するまで、放出される。
【００４８】
上流側プランジャーストッパ７の移動中、膨張室１７の容積は連続して増加する。射出の終了時には、注射器１の貯蔵器５には液体有効成分は残っていない。
【００４９】
一例として、図４のグラフの曲線Ａを参照すると、前記装薬３とプランジャー４との間に形成された空間における装薬３の燃焼によって生じた時間の経過に対する圧力の変化は非常に強い最高値の瞬間的な出現を生じ、この最高値の出現に漸次の連続する減少の段階が続く。この非常に強い最高値の出現は約１ミリ秒後に生じ、またその一部の減少の段階は約２０ミリ秒の間続く。最初０．５mlを収容する貯蔵器５の出口の液体有効成分９の時間に対する圧力の変化を示す曲線Ｂもまた減少段階が続く非常に強い最高値の出現を生じる。この最高値は注射器が発動された後の一定時間に発生し、この遅れは下流側プランジャーストッパ８が中空要素１５の底に当接するに至る前の液体の柱の走行に対応している。
【００５０】
非常な強さを保持するこの最高値は２つの現象の結合の結果である。すなわち
−ガスの圧力による液体９の本来の推進
−中空要素１５の底への液体の柱の衝突。液体の柱は貯蔵器５の中を増加する速度で動くため、衝突は加速段階で発生し、それにより液体の排出を促進する過剰エネルギーをもたらす。
【００５１】
後続する圧力減少の段階は装薬３とプランジャー４との間に形成された自由空間に観察される段階に直線でつながっている。
【００５２】
最後に、最初０．２mlを収容している貯蔵器５の出口における液体有効成分９の経過時間中の圧力変化を表わす曲線Ｃは連続する減少の段階が続く非常に強い圧力の最高値を示している。この最高値は液体の柱がより大きいため曲線Ｂよりも遅れて到達する。曲線ＢとＣの各最高値はほぼ同じ強さを有しているが、その理由は、ガス圧力による液体９の本来の推力−０．２mlを収容する貯蔵器の場合は装薬３とプランジャー４との間にある空間の容積のより大きな減少によるガス圧力の降下のため、より低くなる−が速度増大時の液体の柱のより大きな移動により生じる衝撃の運動エネルギーの増加により補償されるからである。
【００５３】
図４の比較グラフは、下流側のプランジャーストッパ８の単一の移動によって、本発明の針なし注射器１がその最大限の効率を、最初に皮膚の穴あけの点で、次に液体９の拡散の点で、維持することを示している。
【図面の簡単な説明】
【図１】  使用される前の針なし注射器の一部を切断した縦断面図である。
【図２】  射出がまだ開始されていない使用中の図１の注射器の一部切断縦断面図である。
【図３】  射出が完了した使用終期の図１の注射器の一部切断縦断面図である。
【図４】  最初の火薬の下流側に形成された自由空間の圧力と次の０．５mlの有効成分を保持する貯蔵器の液体の圧力と最後の０．２mlの有効成分を保持する貯蔵器の液体の圧力との時間に対する変化を比較する簡単なグラフである。
【図１】
0003711107.tif 000004
【図２】
0003711107.tif 000005
【図３】
0003711107.tif 000006
【図４】
0003711107.tif 000007